(57)【特許請求の範囲】
【請求項１】
サッシの枠または障子に設けられる引き寄せピースにおいて、
前記枠および前記障子の一方に取り付けられる取付部と、
該取付部に取り付けられて前記障子が閉じた状態となると前記枠および前記障子の他方と当接する当接部を有する規制部と、を有し、
該規制部は、弾性変形して前記取付部に着脱され、前記取付部に対する取り付け位置を調整可能に構成されていることを特徴とする引き寄せピース。
【請求項２】
前記規制部は、前記取付部に近接・離間する方向に移動可能に支持されている請求項１に記載の引き寄せピース。
【請求項３】
前記規制部は、前記取付部に近接・離間する方向に対して傾斜する斜め方向に沿って直線状または階段状に移動可能に構成されている請求項２に記載の引き寄せピース。
【請求項４】
前記規制部には、前記取付部側に突出する凸部が形成され、
前記取付部には、それぞれ前記凸部が嵌合可能な複数の溝部が配列されていて、
該複数の溝部のうちの選択された溝部に前記凸部が嵌合されると前記規制部が前記取付部に係止される請求項１乃至３のいずれか一項に記載の引き寄せピース。
【発明の詳細な説明】
【技術分野】
【０００１】
本発明は、サッシに設けられる引き寄せピースに関する。
【背景技術】
【０００２】
サッシの枠または障子に設けられて、閉鎖時に障子を枠に対して正位置にガイドするための引き寄せピースが知られている（例えば、特許文献１参照）。引き寄せピースは、枠および障子の一方に取り付けられて、閉鎖時に枠および障子の他方と当接する当接部を有している。
このような引き寄せピースには、枠または障子にネジで固定されていて、枠または障子に対する当接部の位置を調整可能なものがある。
【先行技術文献】
【特許文献】
【０００３】
【特許文献１】特開２００１−１７３３１０号公報
【発明の概要】
【発明が解決しようとする課題】
【０００４】
しかしながら、引き寄せピースの当接部の枠または障子に対する位置を調整する場合、引き寄せピースを固定するネジを緩めたり締めたりしなければならず、施工性が悪いという問題がある。
【０００５】
そこで、本発明は、枠または障子に対する当接部の位置調整を容易に行うことができる引き寄せピースを提供することを目的とする。
【課題を解決するための手段】
【０００６】
上記目的を達成するため、本発明に係る引き寄せピースは、サッシの枠または障子に設けられる引き寄せピースにおいて、前記枠および前記障子の一方に取り付けられる取付部と、該取付部に取り付けられて前記障子が閉じた状態となると前記枠および前記障子の他方と当接する当接部を有する規制部と、を有し、該規制部は、弾性変形して前記取付部に着脱され、前記取付部に対する取り付け位置を調整可能に構成されていることを特徴とする。
【０００７】
本発明では、規制部は、弾性変形して取付部に着脱され、取付部に対する取り付け位置を調整可能に構成されていることにより、規制部の取付部に対する位置調整にネジを緩めたり締めたりする作業が必要ないため、規制部の取付部に対する位置調整を容易に行うことができる。
これにより、取付部が取り付けられた枠または障子に対する当接部の位置調整を容易に行うことができる。
【０００８】
また、本発明に係る引き寄せピースでは、前記規制部は、前記取付部に近接・離間する方向に移動可能に支持されていることが好ましい。
このような構成とすることにより、規制部を取付部に支持された状態で移動させることができるため、規制部の取付部に対する位置調整を容易に行うことができる。
【０００９】
また、本発明に係る引き寄せピースでは、前記規制部は、前記取付部に近接・離間する方向に対して傾斜する斜め方向に沿って直線状または階段状に移動可能に構成されていることが好ましい。
このような構成とすることにより、規制部を取付部に近接・離間する方向に対して傾斜する斜め方向に沿って移動させることで規制部の取付部に近接・離間する方向の位置の微調整を容易に行うことができる。
さらに、規制部が斜め方向に沿って階段状に移動可能であることにより、階段状の段部ごとに取付部に対する規制部の位置を確認することができ、規制部の取付部に対する位置調整を容易に行うことができる。
【００１０】
また、本発明に係る引き寄せピースでは、前記規制部には、前記取付部側に突出する凸部が形成され、前記取付部には、それぞれ前記凸部が嵌合可能な複数の溝部が配列されていて、該複数の溝部のうちの選択された溝部に前記凸部が嵌合されると前記規制部が前記取付部に係止されることが好ましい。
このような構成とすることにより、凸部がどの溝部に嵌合するかによって、取付部に対する規制部の位置が変わるため、選択された任意の溝部に凸部を嵌合させることで、規制部の取付部に対する位置調整を行うことができる。
【発明の効果】
【００１１】
本発明によれば、枠または障子に対する当接部の位置調整を容易に行うことができる。
【図面の簡単な説明】
【００１２】
【図１】本発明の実施形態による引き寄せピースが設けられる引違サッシの一例を示す水平断面図である。
【図２】本発明の実施形態による引き寄せピースが設けられる引違サッシの一例を示す鉛直断面図である。
【図３】縦框の水平断面図である。
【図４】外障子の縦框に取り付けられた引き寄せピースを見付け方向一方側から見た図である。
【図５】（ａ）は図４のＡ−Ａ線断面図、（ｂ）は図４のＢ−Ｂ線断面図、（ｃ）は図４のＣ−Ｃ線断面図、（ｄ）は図４のＤ−Ｄ線断面図である。
【図６】取付部の縦框への取付け状態を説明する図である。
【図７】取付部の斜視図である。
【図８】図７とは他の方向から見た取付部の斜視図である。
【図９】図７および図８とは他の方向から見た取付部の斜視図である。
【図１０】図７乃至図９とは他の方向から見た取付部の斜視図である。
【図１１】規制部の斜視図である。
【図１２】図１１とは他の方向から見た規制部の斜視図である。
【図１３】図１１および図１２とは規制部の他の方向から見た規制部の斜視図である。
【図１４】図１１乃至図１３は規制部の他の方向から見た規制部の斜視図である。
【図１５】規制部を室外側から見た図である。
【図１６】引き寄せピースの斜視図である。
【図１７】図１６とは他の方向から見た引き寄せピースの斜視図である。
【図１８】図１６のＥ−Ｅ断面図に縦框を追加した図である。
【図１９】規制部の第１凸部が取付部の第１凹部に嵌合した引き寄せピースを説明する図である。
【図２０】規制部の第１凸部が取付部の第３凹部に嵌合した引き寄せピースを説明する図である。
【図２１】規制部の第１凸部が取付部の第５凹部に嵌合した引き寄せピースを説明する図である。
【図２２】縦框に対する規制部のテーパー面の位置を説明する図である。
【図２３】（ａ）はテーパー面の縦框に対する位置調整の手順を示す図、（ｂ）は（ａ）に続くテーパー面の縦框に対する位置調整の手順を示す図である。
【発明を実施するための形態】
【００１３】
以下、本発明の実施形態による引き寄せピースについて、図１乃至図２３に基づいて説明する。
図１に示すように、本発明の実施形態による引き寄せピース１，１は、建物の室外側１１と室内側１２とを仕切る壁部に形成された開口部に設置された引違サッシ１０に設けられている。
引違サッシ１０は、壁部に固定された枠２と、枠２の内側に配置された外障子３および内障子４と、を有している。
見付け方向のうち、開口部を閉鎖する引違サッシ１０の外障子３が配置される側（室内側１２から見た左側）を見付け方向一方側とし、内障子４が配置される側（室内側１２から見た右側）を見付け方向他方側とする。
【００１４】
図１および図２に示すように、枠２は、見付け方向に延在する上枠２１および下枠２２（図２参照）と、上下方向に延在し上枠２１および下枠２２それぞれの見付け方向の両端部に連結された一対の縦枠２３，２４（図１参照）と、を有している。
一対の縦枠２３，２４うちの見付け方向一方側に配置された縦枠を第１縦枠２３とし、他方側に配置された縦枠を第２縦枠２４とする。
【００１５】
図１に戻り、第１縦枠２３には、外障子３の縦框３４と対向する位置に見付け方向他方側に突出するフィン２３１が形成されている。フィン２３１は、先端部近傍２３１ａが見付け方向一方側から他方側に向かって漸次室外側１１に向かう斜め方向に沿って延びている。フィン２３１には、外障子３の縦框３４に取り付けられた引き寄せピース１の規制部６のテーパー面６１ａが当接するように構成されている。
【００１６】
第２縦枠２４には、内障子４の縦框４４と対向する位置に見付け方向一方側に突出するフィン２４１が形成されている。フィン２３１は、先端部近傍２４１ａが見付け方向他方側から一方側に向かって漸次室外側１１に向かう斜め方向に沿って延びている。フィン２４１には、内障子４の縦框４４に取り付けられた引き寄せピース１の規制部６が当接するように構成されている。
【００１７】
図１および図２に示すように、外障子３は、上框３１、下框３２（図２参照）、召合せ框３３、縦框（戸先框）３４（図１参照）とこれらの框３１〜３４の内側に組み込まれた複層ガラス３５と、を有している。
内障子４は、上框４１、下框４２、召合せ框４３、縦框（戸先框）４４とこれらの框４１〜４４の内側に組み込まれた複層ガラス４５と、を有している。
【００１８】
図１に示すように、本実施形態では、外障子３の縦框３４および内障子４の縦框４４それぞれに引き寄せピース１が設けられている。外障子３の縦框３４と内障子４の縦框４４とは、それぞれの少なくとも引き寄せピース１が設けられる部分どうしが、見付け方向を左右方向とすると左右対称に形成されている。また、外障子３の縦框３４に設けられた引き寄せピース１と、内障子４の縦框４４に設けられた引き寄せピース１についても、左右対称に形成されている。
このため、以下では、外障子３の縦框３４、および外障子の３の縦框３４に設けられた引き寄せピース１について説明し、内障子４の縦框４４、および内障子４の縦框４４に設けられた引き寄せピース１は、外障子３の縦框３４、および外障子３の縦框３４に設けられたた引き寄せピース１を左右対称に形成したものとして説明を省略する。
【００１９】
図３に示すように、外障子３の縦框３４は、上下方向全体にわたって略同じ水平断面形状に形成されている。縦框３４は、複層ガラス３５を支持するガラス支持部３４１と、ガラス支持部３４１の見付け方向一方側に連結されて引き寄せピース１を支持する引き寄せピース支持部３４２と、を有している。
【００２０】
引き寄せピース支持部３４２は、ガラス支持部３４１の室外側１１の端部近傍から見付け方向一方側に突出する第１係止部３４３と、ガラス支持部３４１の室内側１２の端部近傍から見付け方向一方側に突出する第２係止部３４４と、第１係止部３４３と第２突出片との間に配置され第１係止部３４３および第２係止部３４４とを連結する連結板部３４５と、を有している。
【００２１】
第１係止部３４３は、ガラス支持部３４１から見付け方向一方側に延びる第１板部３４３ａと、第１板部３４３ａの見付け方向一方側の端部から室外側１１に延びる第２板部３４３ｂと、第２板部３４３ｂの室外側１１の端部から見付け方向一方側に延びて途中から見付け方向一方側に向かうに従って漸次室内側１２に向かう斜め方向に延びる第３板部３４３ｃと、第３板部３４３ｃの見付け方向一方側の端部から室内側１２に延びる第４板部３４３ｄと、第４板部３４３ｄの室内側１２の端部から見付け方向他方側に突出する爪部３４３ｅと、を有している。
【００２２】
第２係止部３４４は、ガラス支持部３４１から見付け方向一方側に延びる第１板部３４４ａと、第１板部３４４ａの見付け方向一方側の端部から室内側１２に延びる第２板部３４４ｂと、第２板部３４４ｂの室内側１２の端部から見付け方向他方側に延びるとともに見付け方向一方側に延びて途中から見付け方向一方側に向かうに従って漸次室外側１１に向かう斜め方向に延びる第３板部３４４ｃと、第３板部３４４ｃの見付け方向一方側の端部から室外側１１に延びる第４板部３４４ｄと、第４板部３４３ｄの室外側１１の端部から見付け方向他方側に突出する爪部３４４ｅと、を有している。
第２係止部３４４には、上下方向の中間部の所定の範囲に、第４板部３４３ｄおよび爪部３４４ｅを切り欠いた切欠き部３４４ｆが形成されている。
【００２３】
連結板部３４５は、第１係止部３４３の第１板部３４３ａと第２板部３４３ｂとの連結部分から室内側１２に延びる第１板部３４５ａと、第１板部３４５ａの室内側１２の端部から見付け方向一方側に延びる第２板部３４５ｂと、第２板部３４５ｂの見付け方向一方側の端部から室内側１２および室外側１１に延びる第３板部３４５ｃと、を有している。
連結板部３４５の第３板部３４５ｃの室外側１１の端部は、第１係止部３４３の第３板部３４３ｃと離間している。連結板部３４５の第３板部３４５ｃの室内側１２の端部は、第２係止部３４４の第１板部３４４ａの見付け方向の中間部と連結している。
【００２４】
引き寄せピース支持部３４２には、連結板部３４５よりも見付け方向一方側の第１係止部３４３と第２係止部３４４とに挟まれた凹部３４６が形成されている。この凹部３４６には、引き寄せピース１が配置される。
【００２５】
図４および図５に示すように、引き寄せピース１は、縦框３４に取り付けられる取付部５と、取付部５に取り付けられて第１縦枠２３のフィン２３１（図１参照）と当接可能な規制部６と、を有する。
以下では、引き寄せピース１は、引違サッシ１０の外障子３の縦框３４に取り付けられた姿勢（向き）であるものとし、説明における見付け方向、見込み方向、室外側１１および室内側１２とは引違サッシ１０の見付け方向、見込み方向、室外側１１および室内側１２と同じ方向とする。
【００２６】
図６に示すように、取付部５は、縦框３４の引き寄せピース支持部３４２の凹部３４６の内部に配置されて、引き寄せピース支持部３４２に係止されるように構成されている。
図６乃至図１０に示すように、取付部５は、規制部６（図４および図５参照）が取り付けられる本体部５１と、本体部５１の室外側１１に連結された第１被係止部５２と、本体部５１の室内側１２に連結された第２被係止部５３と、を有している。本体部５１、第１被係止部５２および第２被係止部５３は、例えば樹脂などで一体に形成されている。
【００２７】
本体部５１は、板面が略長方形状であるとともに見付け方向を向く板状に形成されている。本体部５１は、見付け方向一方側の面に上縁部における室外側１１の端部からやや室内側１２に向かった位置と、下縁部における見込み方向の中間部と、を結ぶように、上側から下側に向かって漸次室外側１１から室内側１２に向かう斜め方向に延びる段部５４が形成されている。本体部５１は、段部５４よりも室外側１１の部分が段部５４よりも室内側１２の部分よりも薄い板状に形成されている。
段部５４よりも室外側１１の部分を薄板部５５とし、段部５４よりも室内側１２の部分を厚板部５６とする。段部５４が延びる斜め方向を第１斜め方向（図７乃至図１０の矢印Ｆの方向）とする。厚板部５６の室外側１１の端面５６ａは、第１斜め方向に沿って延びる傾斜面に形成されている。
【００２８】
厚板部５６には、規制部６の第１凸部６７１が嵌合可能な５つの溝部（係止部）５６１〜５６５と、規制部６の第２凸部６８２が嵌合可能な孔部５６６と、が形成されている。
５つの溝部５６１〜５６５は、厚板部５６の室外側１１の端面５６ａの上下方向の中間部に第１斜め方向に略等間隔をあけて配列されている。
５つの溝部５６１〜５６５は、それぞれ見込み方向（厚板部５６の厚さ方向）に延びて、室外側１１に開口している。また、５つの溝部５６１〜５６５は、見付け方向一方側の端部が開口し、見付け方向他方側の端部が閉塞されている。
これらの５つの溝部５６１〜５６５を、第１斜め方向の上側から下側に向かって、第１溝部５６１、第２溝部５６２、第３溝部５６３、第４溝部５６４、第５溝部５６５とする。
【００２９】
孔部５６６は、厚板部５６を見付け方向（厚さ方向）に貫通し、見付け方向から見た形状が第１斜め方向に延びる略平行四辺形状に形成されている。
孔部５６６の内周面のうち、見付け方向から見て略平行四辺形の一対の斜辺のうちの室外側１１の斜辺の対応する斜面を室外側斜面５６６ａとし、室内側１２の斜辺に対応する面を室内側斜面５６６ｂとすると、室外側斜面５６６ａには、第１斜め方向全体にわたって段部５６６ｃが形成されている。
孔部５６６の室外側斜面５６６ａは、段部５６６ｃよりも見付け方向一方側が見付け方向一方側が他方側よりも室内側１２に突出している。
【００３０】
本体部５１には、見付け方向他方側における室外側１１の上側部分および下側部分それぞれに切欠き部５１１，５１２が形成されている。上側の切欠き部５１１と下側の切欠き部５１２とは連続しておらず、上下方向に間隔をあけて配置されている。なお、本体部５１には、切欠き部５１１，５１２とは別に肉抜きの凹部や切欠き部などが適宜形成されていてもよい。
【００３１】
第１被係止部５２は、本体部５１の室外側１１の端面における上下方向の中間部から室外側１１に突出する第１板部５２１と、第１板部５２１から見付け方向一方側に向かって漸次室外側１１に延びる方向に突出する第２板部５２２と、を有している。第２板部５２２の先端部には、室外側１１および見付け方向一方側に開口する切欠き部５２３が形成されている。第１板部５２１の見込み方向の中間部における上下方向の中間部には、見付け方向一方側に突出する爪部５２４が形成されている。
【００３２】
第１被係止部５２には、見付け方向他方側における室内側１２の上側および下側それぞれに切欠き部５２５，５２６が形成されている。上側の切欠き部５２５と下側の切欠き部５２６とは連続しておらず、上下方向に間隔をあけて配置されている。上側の切欠き部５２５と下側の切欠き部５２６との間には、上記の爪部５２４が形成されている。
【００３３】
第１被係止部５２の上側の切欠き部５２５は、本体部５１の上側の切欠き部５１１と連通している。第１被係止部５２の下側の切欠き部５２６は、本体部５１の下側の切欠き部５１２と連通している。
第１被係止部５２の上側の切欠き部５２５と、本体部５１の上側の切欠き部５１１と、を併せて上側切欠き部５７１とし、第１被係止部５２の下側の切欠き部５２６と、本体部５１の下側の切欠き部５１２と、を併せて下側切欠き部５７２とする。
【００３４】
第２被係止部５３は、本体部５１の室内側の端部の上下方向全体から室内側１２に延びる板部５３１と、板部５３１から見付け方向の一方側に突出する第１爪部５３２、第２爪部５３３および第３爪部５３４と、を有している。
板部５３１は、本体部５１の厚板部５６よりも薄く形成されていて、図９および図１０に示すように、見付け方向他方側の面５３１ａが、厚板部５６の見付け方向他方側の面５６ｂよりも見付け方向他方側に配置され、図８に示すように、見付け方向一方側の面５３１ｂが、厚板部５６の見付け方向一方側の面５６ｃと面一に配置されている。
第１爪部５３２、第２爪部５３３および第３爪部５３４は、この順に上側から下側に配列されていて、第２爪部５３３が第１爪部５３２および第３爪部５３４よりも見付け方向一方側に突出している。
【００３５】
このような取付部５は、縦框３４の引き寄せピース支持部３４２の凹部３４６に配置されると、本体部５１の見付け方向他方側の面５１ａが、引き寄せピース支持部３４２の連結板部３４５の第３板部３４５ｃと当接し、第１被係止部５２が引き寄せピース支持部３４２の第１係止部３４３に係止され、第２被係止部５３が引き寄せピース支持部３４２の第２係止部３４４に係止されている。
【００３６】
このとき、取付部５の第１被係止部５２の切欠き部５２３に、縦框３４の引き寄せピース支持部３４２の第１係止部３４３の爪部３４３ｅが入り込み、取付部５の第１被係止部５２の爪部５２４が、引き寄せピース支持部３４２の連結板部３４５の第３板部３４５ｃの室外側１１の端部に引っ掛かった状態となる。
また、第２被係止部５３の見付け方向他方側の面が、引き寄せピース支持部３４２の第２係止部３４４の第２板部３４４ｂの見付け方向一方側の面と当接し、第２被係止部５３の第１爪部５３２および第３爪部５３４の先端部が引き寄せピース支持部３４２の第２係止部３４４の爪部３４４ｅの先端部と対向し、第２被係止部５３の第２爪部５３３が引き寄せピース支持部３４２の第２係止部３４４の切欠き部３４４ｆに嵌合した状態となる。
このようにして、取付部５が縦框３４に取り付けられる。
【００３７】
図１１乃至図１５に示すように、規制部６は、取付部５（図４および図５参照）の見付け方向一方側に配置される本体部６１と、本体部６１の上縁部から見付け方向他方側に延びて取付部の上側に配置される上板部６２と、本体部６１の下縁部から見付け方向他方側に延びて取付部の下側に配置される下板部６３と、上板部６２の室外側１１の端部近傍において見付け方向他方側の端部から下側に突出する上側突出部６４と、下板部６３の室外側１１の端部近傍において見付け方向他方側の端部から上側に突出する下側突出部６５と、を有している。
本体部６１、上板部６２、下板部６３、上側突出部６４、下側突出部６５は、例えば樹脂などで一体に形成されている。
【００３８】
本体部６１は、板面が略長方形状であるとともに見付け方向を向く板状に形成されている。本体部６１は、見付け方向一方側の面の室外側１１の部分に室外側１１から室内側１２に向かって漸次見付け方向他方側から一方側に向かうテーパー面６１ａが形成されている。このテーパー面６１ａは、外障子３が閉められた状態となると、第１縦枠２３のフィン２３１の先端部分と当接するように配置される（図１参照）。
規制部６は、テーパー面６１ａの縦框３４に対する見込み方向の位置を調整することで、外障子３が閉められた状態となった際の外障子３の枠２に対する位置を調整するように構成されている。
【００３９】
本体部６１は、見付け方向他方側の面に上縁部における室外側１１の端部よりもやや室内側１２に入った位置と、下縁部における見込み方向の中間部とを結ぶように第１斜め方向に延びる段部６６が形成されている。本体部６１は、段部６６よりも室外側１１の部分を厚板部６７とし、段部６６よりも室内側１２の部分を薄板部６８とする。
厚板部６７は、室内側１２の端面６７ａが第１斜め方向に延びる傾斜面に形成されている。
規制部６が取付部５に取り付けられると、規制部６の厚板部６７が取付部５の薄板部５５と対向し、規制部６の薄板部６８が取付部５の厚板部５６と対向し、規制部６の厚板部６７の室内側１２の端面６７ａが取付部５の厚板部５６の室外側１１の端面５６ａとが対向する。
【００４０】
厚板部６７には、室内側１２の端面６７ａから室内側１２に突出する１つの第１凸部６７１が形成されている。第１凸部６７１は、厚板部６７の上下方向の略中央部に形成されている。第１凸部６７１は、取付部５の第１〜第５溝部５６１〜５６５それぞれに嵌合可能な形状に形成されていて、第１〜第５溝部５６１〜５６５のうちの選択された１つの溝部に挿入される。なお、第１凸部６７１が挿入される溝部は、切り替えできるように構成されている。
【００４１】
薄板部６８には、上下方向の略中間部において見付け方向に貫通する孔部６８１と、孔部６８１の縁部から見付け方向他方側に突出する第２凸部６８２と、が形成されている。
孔部６８１は、見付け方向から見た形状が第１斜め方向に延びる略平行四辺形状に形成されている。孔部６８１の縁部のうち、見付け方向から見て略平行四辺形の一対の斜辺のうちの室内側１２の斜辺の対応する縁部を室内側縁部６８１ａとする。
【００４２】
第２凸部６８２は、第１斜め方向に延び、第１斜め方向に直交する平面における断面形状が第１斜め方向全体において略同じ形状となるように形成されている。
第２凸部６８２は、孔部６８１の室内側縁部６８１ａから見付け方向の他方側に延びる第１板部６８２ａと、第１板部６８２ａの見付け方向他方側の端部から見付け方向他方側に向かって漸次室内側１２から室外側１１に向かうように延びる第２板部６８２ｂと、第２板部６８２ｂの見付け方向他方側の端部から室外側１１に延びる第３板部６８２ｃと、第３板部６８２ｃの室外側１１の端部から見付け方向一方側に向かって漸次室外側１１に向かうように延びる第４板部６８２ｄと、第４板部６８２ｄの室外側１１の端部から見付け方向一方側に延びる第５板部６８２ｅと、を有している。
【００４３】
第５板部６８２ｅの先端部は、薄板部６８の孔部６８１が形成されている部分よりも見付け方向他方側に配置され、薄板部６８の孔部６８１が形成されている部分と離間している。第３板部６８２ｃと第４板部６８２ｄとの境界部分には、室外側１１に突出する爪部６８２ｆが形成されている。
第２凸部６８２は、弾性変形可能で、外力が加わることによってそれぞれの板部の連結部分の連結角度が変わるように変形可能に構成されている。
第２凸部６８２は、取付部５の孔部５６６よりも第１斜め方向に短く形成されていて、取付部５の孔部５６６の内部で第１斜め方向に移動可能に構成されている。
【００４４】
図１６および図１７に示すように、このような規制部６は、本体部６１が取付部５の本体部５１の見付け方向一方側に配置され、上板部６２が取付部の本体部５１の上側に配置され、下板部６３が取付部５の本体部５１の下側に配置され、第１凸部６７１が取付部５の第１〜第５溝部５６１〜５６５のいずれか１つ（図１６および図１７では第３溝部５６３を想定している）に嵌合し、第２凸部６８２が取付部５の孔部５６６に嵌合することで取付部５に取り付けられる。
このとき、規制部６の上側突出部６４は、取付部５の上側切欠き部５７１に入り込み、上側突出部６４は、取付部５の下側切欠き部５７２に入り込んでいる。
【００４５】
図１８に示すように、第２凸部６８２は、全体が取付部５の孔部５６６に挿入されると、第２凸部６８２の第１板部６８２ａが孔部５６６の室内側斜面５６６ｂと当接し、爪部６８２ｆが孔部５６６の室外側斜面５６６ａの段部５６６ｃに引っ掛かり、孔部５６６に嵌合して外れないように構成されている。
【００４６】
本実施形態では、規制部６の第１凸部６７１が取付部５の第１〜第５溝部５６１〜５６５のいずれに嵌合するかによって、規制部６の取付部５に対する見込み方向の位置を調整することができる。これにより、規制部６のテーパー面６１ａの縦框３４に対する見込み方向の位置を調整することができる。
【００４７】
例えば、図１９に示すように、規制部６の第１凸部６７１を取付部５の第１溝部５６１に嵌合させると、図２０に示すような規制部６の第１凸部６７１が取付部５の第３溝部５６３に嵌合していた状態と比べて、規制部６が取付部５に対して上側かつ室外側１１に配置された状態となり、テーパー面６１ａが室外側１１に配置される。
これに対し、図２１に示すように規制部６の第１凸部６７１を取付部５の第５溝部５６５に嵌合すると、図２０に示すような規制部６の第１凸部６７１が取付部５の第３溝部５６３に嵌合していた状態と比べて、規制部６が取付部５に対して下側かつ室内側１２に配置された状態となり、テーパー面６１ａが室内側１２に配置される。
【００４８】
このように、規制部６の第１凸部６７１が嵌合する溝部を、第１溝部５６１から第５溝部５６５に切り替えるに従って、テーパー面６１ａの縦框３４に対する取り付け位置を室外側１１から室内側１２に切り替えることができる。
図２２に、規制部６の第１凸部６７１が取付部５の第１溝部５６１に嵌合した場合のテーパー面６１ａＡ、規制部６の第１凸部６７１が取付部５の第３溝部５６３に嵌合した場合のテーパー面６１ａＢ、規制部６の第１凸部６７１が取付部５の第５溝部５６５に嵌合した場合のテーパー面６１ａＣを示す。
【００４９】
第１凸部６７１が嵌合する溝部を切り替えるためには、まず、図２３（ａ）に示すように、規制部６を取付部５に対して室外側１１に押して第２凸部６８２を弾性変形させる。これにより、第２凸部６８２の爪部６８２ｆが孔部５６６の室外側斜面５６６ａの段部５６６ｃから外れて、第２凸部６８２と孔部５６６との嵌合が解除され、規制部６が取付部５に対して見付け方向一方側に少し移動した状態となる。なお、第２凸部６８２の先端部側は孔部５６６に挿入されている。
また、規制部６を室外側１１に押すことで、規制部６の第１凸部６７１が嵌合していた凹部（図２３（ａ）では第３溝部５６３）から外れ、規制部６が第１斜め方向に移動可能となる。
【００５０】
続いて、図２３（ｂ）に示すように、第１凸部６７１を任意の溝部（図２３（ｂ）では第２溝部５６２）の室外側に配置されるように、規制部６を室外側１１に押圧した状態で第１斜め方向に移動させる。第１凸部６７１が任意の溝部の室外側に配置されたら規制部６の室外側１１への押圧をやめるとともに規制部６を取付部５側に押圧して第１凸部６７１を任意の溝部に嵌合させる。このとき、規制部６の第２凸部６８２の爪部６８２ｆを取付部５の孔部５６６の段部５６６ｃに嵌め込んで、第２凸部６８２を孔部５６６に嵌合させる。これにより規制部６は、第１斜め方向および見付け方向の移動が拘束され取付部５に固定された状態となる。
【００５１】
取付部５の孔部５６６は、第２凸部６８２よりも第１斜め方向に長く形成されているため、規制部６の取付部５に対する取り付け位置が変わっても、第２凸部６８２は取付部５の孔部５６６に挿入されている。
また、規制部６の取付部５に対する取り付け位置が変わっても、規制部６の上側突出部６４は、少なくとも下端部近傍が取付部５の上側切欠き部５７１に挿入され、下側突出部６５は、少なくとも上端部近傍が取付部５の下側切欠き部５７２に挿入されている。
取付部５の上側切欠き部５７１に挿入された上側突出部６４および取付部５の下側切欠き部５７２に挿入された下側突出部６５は、取付部５と縦框３４の連結板部３４５との間に配置されている。
このため、規制部６が取付部５に対して第１斜め方向に移動する際に、取付部５に対して見付け方向一方側移動したとしても、規制部６の上側突出部６４および下側突出部６５が取付部５と縦框３４に挟まれた状態であるため、規制部６が取付部５から離間することが防止される。
【００５２】
次に、上述した本発明の実施形態による引き寄せピースの作用・効果について図面を用いて説明する。
上述した本実施形態による引き寄せピース１では、規制部６が第２凸部６８２を弾性変形させることで取付部５に着脱可能であることにより、規制部６の取付部５に対する位置調整にネジを緩めたり締めたりする作業が必要ないため、規制部６の取付部５に対する位置調整を容易に行うことができる。これにより、規制部６のテーパー面６１ａの縦框３４に対する見込み方向の位置調整を容易に行うことができる。
【００５３】
また、本実施形態では、規制部６の第１凸部６７１を取付部５の第１〜第５溝部５６１〜５６５のうちの選択されたいずれかの溝部に嵌合させれば規制部６の取付部５に対する位置調整をできるため、規制部６テーパー面６１ａの縦框３４に対する位置調整を容易に行うことができる。
また、本実施形態では、規制部６は、見込み方向に対して傾斜する第１斜め方向に移動させて取付部５に対する位置を調整するため、見込み方向に移動させて取付部５に対する位置を調整する場合と比べて、取付部５に対する位置の微調整を容易に行うことができる。
【００５４】
また、本実施形態では、取付部５は、縦框３４の凹部３４６に嵌めこまれることで縦框３４に固定されるため、ネジを使用せずに縦框３４に引き寄せピース１取り付けることができる。
また、縦框３４にネジ孔を形成する必要がないため、引き寄せピース１が設けられた引違サッシ１０の生産性を高めることができるとともに、縦框にネジ孔を形成できない場合でも引き寄せピース１を取り付けることができる。
【００５５】
以上、本発明による引き寄せピースの実施形態について説明したが、本発明は上記の実施形態に限定されるものではなく、その趣旨を逸脱しない範囲で適宜変更可能である。
例えば、上記の実施形態では、引き寄せピース１は、引違サッシ１０の外障子３および内障子４に取り付けられているが、枠２の縦枠２３，２４に取り付けられていて、外障子３および内障子４を閉じた際に外障子３および内障子４と当接して枠２に対する外障子３および内障子４の位置を調整するように構成されていてもよい。
【００５６】
また、上記の実施形態では、第１〜第５溝部５６１〜５６５が第１斜め方向に配列されているが、第１〜第５溝部５６１〜５６５が見込み方向に配列されていて、第１凸部６７１を見込み方向に移動させて第１〜第５溝部５６１〜５６５のいずれかに嵌合させるように構成されていてもよい。また、第１凸部６７１が嵌合する溝部の数や形状は適宜設定されてよい。取付部５に対して規制部６が移動する方向は上記以外であってもよい。
また、第１〜第５溝部５６１〜５６５に代わって、取付部５に階段状の面が形成されていて、この階段状の面の段部のいずれかに第１凸部６７１が引っ掛かり、規制部６が取付部５に対して位置決めされるように構成されていてもよい。
なお、取付部５に対する規制部６の位置決め手段は、上記のような第１凸部６７１や第１〜第５溝部５６１〜５６５を用いた手段以外であってもよい。
【００５７】
また、上記の実施形態では、引き寄せピース１は、引違サッシ１０に設けられているが、開き窓や滑り出し窓に設けられていてもよい。
【符号の説明】
【００５８】
１  引き寄せピース
２  枠
３  外障子（障子）
４  内障子（障子）
５  取付部
６  規制部
１０  引違サッシ（サッシ）
６１ａ  テーパー面（当接部）
５６１〜５６５  第１〜第５溝部（係止部）
６７１  第１凸部
６８２  第２凸部
【図１】
0006581914.tif 000002
【図２】
0006581914.tif 000003
【図３】
0006581914.tif 000004
【図４】
0006581914.tif 000005
【図５】
0006581914.tif 000006
【図６】
0006581914.tif 000007
【図７】
0006581914.tif 000008
【図８】
0006581914.tif 000009
【図９】
0006581914.tif 000010
【図１０】
0006581914.tif 000011
【図１１】
0006581914.tif 000012
【図１２】
0006581914.tif 000013
【図１３】
0006581914.tif 000014
【図１４】
0006581914.tif 000015
【図１５】
0006581914.tif 000016
【図１６】
0006581914.tif 000017
【図１７】
0006581914.tif 000018
【図１８】
0006581914.tif 000019
【図１９】
0006581914.tif 000020
【図２０】
0006581914.tif 000021
【図２１】
0006581914.tif 000022
【図２２】
0006581914.tif 000023
【図２３】
0006581914.tif 000024